(57)【要約】【課題】本発明が解決しようとする課題は、高い洗浄力および低温安定性を有し、かつ洗浄後のつっぱり感を低減した液体洗浄剤組成物を提供することである。【解決手段】特定の構成単位および特定の分子量を有するホスホリルコリン基含有重合体、脂肪酸塩および水を特定の比率で含有する液体洗浄剤組成物が、上記課題を解決することができることを確認して、本発明を完成した。【選択図】なし【特許請求の範囲】
【請求項１】
下記の成分（ａ）、成分（ｂ）、成分（ｃ）を含有し、前記成分（ａ）の含有量が０．００１〜０．３質量％であり、前記成分（ｂ）の含有量が５〜３０質量％であり、前記成分（ｂ）の含有量に対する前記成分（ａ）の含有量の質量比［ａ／ｂ］が５×１０−５〜５×１０−２であることを特徴とする、液体洗浄剤組成物、
（ａ）下記の式（１ａ）〜（３ａ）で表される構成単位を有する重量平均分子量５，０００〜２，０００，０００のホスホリルコリン基含有重合体、
【化１】
2017002242.tif 000011
【化２】
2017002242.tif 000012
【化３】
2017002242.tif 000013
（式中、Ｒ１、Ｒ２およびＲ５は、それぞれ、独立に水素原子またはメチル基を示す。Ｒ３およびＲ４は、それぞれ、独立にメチル基またはエチル基を示す。Ｒ６は炭素数１２〜２４の一価の炭化水素基を示す。ｍは１〜３の整数を示す。ｎ１、ｎ２およびｎ３は構成単位のモル比を表し、ｎ１：ｎ２：ｎ３＝１００：１〜４００：１〜５０である。）
（ｂ）炭素数が８〜１８の直鎖または分岐鎖の飽和または不飽和の脂肪酸塩、及び
（ｃ）水。
【発明の詳細な説明】
【技術分野】
【０００１】
本発明は、ボディーシャンプー、洗顔料、ハンドソープ、毛髪用シャンプー等に使用される液体洗浄剤組成物に関する。
【背景技術】
【０００２】
脂肪酸塩は、高い洗浄力と、豊かな泡立ちを有することから市販の洗浄剤に汎用されており、洗いあがりの感触がさっぱりとするため、特にボディソープ等に多く配合されている。脂肪酸塩は、水中に含有されるマグネシウム等で金属石ケンを形成し、皮膚に付着することによって、洗浄後の肌につっぱり感を与えるという課題があった。また、洗浄力をあげるために、脂肪酸塩の濃度をあげると、低温で結晶が析出しやすくなり、低温安定性を確保することが困難になる。さらに、つっぱり感も増す。
したがって、高い洗浄力および低温安定性を有しながら、洗浄後のつっぱり感を低減した液体洗浄剤組成物の提供が望まれている。
そこで、これらの特性を改良した洗浄剤組成物が提案されている。
【０００３】
特許文献１には、２−メタクリロイルオキシエチレンホスホリルコリンおよび２−ヒドロキシ−３−（メタ）アクリロイルオキシプロピルトリメチルアンモニウムクロリドのポリマー、および脂肪酸塩を含有することを特徴とする洗浄剤組成物が開示され、起泡性、泡のクリーミー性、乾燥後の感触および経時安定性の向上が図られている。しかし、起泡性を改良し、皮膚表面の汚れとの接触面積を増やすことは洗浄力を高めるためのひとつのアプローチ方法ではあるが、洗浄力の上昇には、界面活性剤と汚れとのなじみ性、水で流した際の汚れ落ち性などの複数の要素が関わっており、起泡性の改良が必ずしも洗浄力の上昇につながるわけではない。そのため、洗浄力を維持しながら、洗浄後のつっぱり感を低減するために、さらなる改良が求められている。
【０００４】
特許文献２では、２−［（メタ）アクロイルオキシ］エチル−２−（トリメチルアンモニオ）エチルホスフェートおよび２−ヒドロキシ３−メタクリロイルオキシプロピルメチルアンモニウムクロリドのポリマー、セリシンおよびアニオン性界面活性剤を含有することを特徴とし、コンディショニング効果に優れ、十分な起泡力を有し、皮膚刺激性が少ない洗浄剤組成物が開示されている。しかし、洗浄後のつっぱり感の低減には、さらなる改善の余地があった。
以上により、高い洗浄力および低温安定性を有し、かつ洗浄後のつっぱり感を低減することができる液体洗浄剤組成物が求められている。
【先行技術文献】
【特許文献】
【０００５】
【特許文献１】特開２００６−０９６８２８号公報
【特許文献２】特開２００７−０３１６３２号公報
【発明の概要】
【発明が解決しようとする課題】
【０００６】
本発明が解決しようとする課題は、高い洗浄力および低温安定性を有し、かつ洗浄後のつっぱり感を低減した液体洗浄剤組成物を提供することである。
【課題を解決するための手段】
【０００７】
上記課題を解決するため、本発明者が鋭意検討した結果、特定の構成単位および特定の分子量を有するホスホリルコリン基含有重合体（以下、ＰＣ重合体と略する場合がある）、脂肪酸塩および水を特定の比率で含有する液体洗浄剤組成物が、上記課題を解決することができることを確認して、本発明を完成した。
すなわち本発明は次の〔１〕である。
【０００８】
〔１〕下記の成分（ａ）、成分（ｂ）、成分（ｃ）を含有し、前記成分（ａ）の含有量が０．００１〜０．３質量％であり、前記成分（ｂ）の含有量が５〜３０質量％であり、前記成分（ｂ）の含有量に対する前記成分（ａ）の含有量の質量比［ａ／ｂ］が５×１０−５〜５×１０−２であることを特徴とする、液体洗浄剤組成物。
（ａ）式（１ａ）〜（３ａ）で表される構成単位を有する重量平均分子量５，０００〜２，０００，０００のホスホリルコリン基含有重合体。
【０００９】
【化１】
2017002242.tif 000002
【００１０】
【化２】
2017002242.tif 000003
【００１１】
【化３】
2017002242.tif 000004
【００１２】
上記式中、Ｒ１、Ｒ２およびＲ５は、それぞれ、独立に水素原子またはメチル基を示す。Ｒ３およびＲ４は、それぞれ、独立にメチル基またはエチル基を示す。Ｒ６は炭素数１２〜２４の一価の炭化水素基を示す。ｍは１〜３の整数を示す。ｎ１、ｎ２およびｎ３は構成単位のモル比を表し、ｎ１：ｎ２：ｎ３＝１００：１〜４００：１〜５０である。
（ｂ）炭素数が８〜１８の直鎖または分岐鎖の飽和または不飽和の脂肪酸塩。
（ｃ）水。
【発明の効果】
【００１３】
本発明の液体洗浄剤組成物は、高い洗浄力および低温安定性を有しながら、洗浄後のつっぱり感を低減することができる。
【発明を実施するための形態】
【００１４】
以下、本発明について詳細に説明する。
本発明は、下記の成分（ａ）、成分（ｂ）および成分（ｃ）を有する液体洗浄剤組成物である。
【００１５】
（成分（ａ））
本発明の成分（ａ）は、下記式（１ａ）〜（３ａ）で表される構成単位を有するホスホリルコリン基含有重合体（ＰＣ重合体）である。
【００１６】
【化４】
2017002242.tif 000005
【００１７】
【化５】
2017002242.tif 000006
【００１８】
【化６】
2017002242.tif 000007
【００１９】
式中、Ｒ１、Ｒ２およびＲ５は、それぞれ、独立に水素原子またはメチル基を示す。Ｒ３およびＲ４は、それぞれ、独立にメチル基またはエチル基を示す。Ｒ６は炭素数１２〜２４の一価の炭化水素基を示す。ｍは１〜３の整数を示す。ｎ１、ｎ２およびｎ３は構成単位のモル比を表し、ｎ１：ｎ２：ｎ３＝１００：１〜４００：１〜５０である。
【００２０】
ＰＣ重合体は、重量平均分子量５，０００〜２，０００，０００、好ましくは１００，０００〜１，５００，０００の重合体である。重量平均分子量が５，０００未満の場合、ＰＣ重合体の脂肪酸塩への吸着力および皮膚への吸着力が低下し、所望の効果が得られ難いおそれがあり、２，０００，０００を超える場合は、製造時の粘性が高くなりすぎるため取り扱いが困難となるおそれがある。
前記ＰＣ重合体は、本発明の効果を損なわない範囲において、式（１ａ）〜（３ａ）で表される構成単位以外の他の構成単位を有することも可能である。
【００２１】
前記ＰＣ重合体を構成する式（１ａ）〜（３ａ）において、Ｒ１、Ｒ２およびＲ５は、それぞれ、独立に水素原子またはメチル基を示す。Ｒ３およびＲ４は、それぞれ、独立にメチル基またはエチル基を示す。Ｒ６は炭素数１２〜２４の一価の炭化水素基、例えば、ラウリル基、ステアリル基、ベヘニル基などを示す。ｍは１〜３の整数を示す。
【００２２】
式（１ａ）〜（３ａ）において、ｎ１、ｎ２、ｎ３は構成単位のモル比を表し、ｎ１：ｎ２：ｎ３＝１００：１〜４００：１〜５０を満たす。ｎ２が１未満の場合、脂肪酸への吸着性が不十分となり、つっぱり感低減効果が十分に得られないおそれがあり、４００より大きいと洗浄力の低下を招くおそれがある。またｎ３が１未満の場合、疎水性相互作用による物理架橋ゲル形成能が低下し、つっぱり感低減効果が十分に得られず、５０を超える場合は、ＰＣ重合体の含水性が減少し、低温安定性が損なわれるおそれがある。
【００２３】
前記ＰＣ重合体は、例えば、ＰＣ単量体と、（メタ）アクリルアミド誘導体と、アルキル（メタ）アクリルレート誘導体とを含む単量体組成物をラジカル重合することによって得ることができる。該単量体組成物は、上記各単量体の他に、重合可能な他の重合性単量体を含んでいてもよい。
【００２４】
ＰＣ単量体としては、例えば、入手性が良いことから、２−（（メタ）アクリロイルオキシ）エチル−２'−（トリメチルアンモニオ）エチルホスフェート、２−（メタクリロイルオキシ）エチル−２'−（トリメチルアンモニオ）エチルホスフェート｛２−メタクリロイルオキシエチルホスホリルコリン、以下、ＭＰＣと略す｝が好ましく挙げられる。
【００２５】
式（２ａ）で表される（メタ）アクリルアミド誘導体としては、Ｎ，Ｎ−ジメチルアミノエチルアクリルアミド、Ｎ，Ｎ−ジメチルアミノプロピルアクリルアミドが好ましく挙げられる。
【００２６】
式（３ａ）で表されるアルキル（メタ）アクリルレート誘導体としては、例えば、ラウリル（メタ）アクリレート、ステアリル（メタ）アクリレート、ベヘニル（メタ）アクリレートが好ましく挙げられる。
【００２７】
前記単量体組成物に用いることができる重合可能な他の重合性単量体としては、例えば、メチル（メタ）アクリレート、エチル（メタ）アクリレート、ブチル（メタ）アクリレート、２−エチルヘキシル（メタ）アクリレート等の直鎖または分岐のアルキル（メタ）アクリレート；シクロヘキシル（メタ）アクリレート等の環状アルキル（メタ）アクリレート；ベンジル（メタ）アクリレート、フェノキシエチル（メタ）アクリレート等の芳香族基含有（メタ）アクリレート；スチレン、メチルスチレン、クロロメチルスチレン等のスチレン系単量体；メチルビニルエーテル、ブチルビニルエーテル等のビニルエーテル単量体；酢酸ビニル、プロピオン酸ビニル等のビニルエステル系単量体；ポリエチレングリコール（メタ）アクリレート、ポリプロピレングリコール（メタ）アクリレート、２−ヒドロキシエチル（メタ）アクリレート、２−ヒドロキシブチル（メタ）アクリレート、４−ヒドロキシブチル（メタ）アクリレート等の親水性の水酸基含有（メタ）アクリレート；（メタ）アクリル酸、スチレンスルホン酸、（メタ）アクリロイルオキシホスホン酸等の酸基含有単量体；アミノエチルメタクリレート、ジメチルアミノエチル（メタ）アクリレート、Ｎ−ビニルピロリドン等の窒素原子含有単量体、Ｎ，Ｎ，Ｎ−トリメチル−Ｎ−（２−（メタ）アクリルオキシエチル）アンモニウムクロライド、Ｎ，Ｎ，Ｎ−トリメチル−Ｎ−（２−ヒドロキシ−３−（メタ）アクリルオキシプロピル）アンモニウムクロライド等のカチオン性基含有単量体が挙げられる。
【００２８】
他の重合性単量体は、その種類によりＰＣ重合体のつっぱり感低減効果を左右するおそれがあるので、その性質を考慮して選択することが望ましい。ＰＣ重合体の製造に用いる単量体組成物に、上記他の重合性単量体を配合する場合、その配合割合は、本発明の効果に影響を与えない範囲で適宜選択できるが、ＰＣ重合体を構成する上記式（１ａ）で示すｎ１を１００とした場合、モル比で５０以下が好ましい。
【００２９】
（成分（ｂ））
本発明の成分（ｂ）は、炭素数が８〜１８である直鎖または分岐鎖の飽和または不飽和の高級脂肪酸塩である。本発明の脂肪酸塩に用いられる脂肪酸としては、例えば、カプリン酸、カプリル酸、ラウリン酸、ミリスチン酸、パルミチン酸、ステアリン酸等の炭素数８〜１８の脂肪酸を例示することができ、これらは、それぞれ、単独で、或いは二種以上を適宜組合せて用いてもよい。
成分（ｂ）の脂肪酸塩に用いられる脂肪酸の炭素数が８未満の場合は洗浄力が不十分である。この観点からは、前記脂肪酸の炭素数は、１０以上が好ましく、１２以上がより好ましい。また、前記脂肪酸の炭素数が１８を超えると、安定性が悪化する。ここで、洗浄力および低温安定性の観点から、炭素数１２〜１８の直鎖型高級脂肪酸を用いるのが好ましい。さらに、これらは二種以上を適宜組合せて用いるのが好ましい。また、ヤシ油・パーム核油等の天然油脂を加水分解して得られる脂肪酸も好適に使用することができる。
【００３０】
成分（ｂ）の脂肪酸塩としては、脂肪酸をアルカリでケン化、または中和した、アルカリ金属塩や有機アミン塩等を例示することができる。用いられるアルカリとしては、水酸化ナトリウム、水酸化カリウム、炭酸ナトリウム、炭酸カリウム等の無機アルカリ；  モノエタノールアミン、ジエタノールアミン、トリエタノールアミン、トリメチルアミン、トリエチルアミン等の有機アルカリ等が挙げられる。本発明では、液体洗浄剤組成物の洗浄力の観点から、アルカリ金属塩を用いることが好ましく、洗浄剤組成物が液状を保つためにカリウム塩がさらに好ましい。
【００３１】
（成分（ｃ））
本発明の成分（ｃ）は水であり、蒸留水やイオン交換水等の精製水を好ましく用いることができる。
次いで、本願発明に係る組成物をさらに詳細に説明する。
【００３２】
洗浄を行う際、本発明の成分（ａ）に特定の割合で含まれる式（３ａ）の疎水性相互作用によって、ナノ粒子が形成される。さらに、式（２ａ）によってナノ粒子に静電荷が付与され、負電荷を有する脂肪酸イオンの周囲に配置される。このとき、式（１ａ）に由来する親和性によって、脂肪酸イオンの周囲に配置されたナノ粒子が、皮膚上に吸着する。このナノ粒子が脂肪酸イオンと皮膚との間に適度な距離を保つことにより、脂肪酸塩による洗浄力を有しつつ、脂肪酸塩に由来する金属石ケンの皮膚への付着によるつっぱり感を低減することができる。
本液体洗浄剤組成物の合計質量を１００質量％としたとき、成分（ａ）の含有量は、０．００１〜０．３質量％とする。
【００３３】
本発明の液体洗浄剤組成物中の成分（ａ）の含有量は、０．００１〜０．３質量％であり、好ましくは０．００５〜０．２５質量％、より好ましくは０．０１〜０．２０質量％である。さらに好ましくは０．０２〜０．１０質量％である。成分（ａ）の含有量が少なすぎるとつっぱり感の低減効果が十分に得られず、多すぎると低温安定性が不十分となる。
【００３４】
成分（ａ）の含有量が０．００１質量％未満では、洗浄後のつっぱり感の低減効果が不十分である。この観点からは、成分（ａ）の含有量は、０．００５質量％以上が好ましく、０．０１質量％以上がより好ましく、０．０２質量％以上がさらに好ましい。また、成分（ａ）の含有量が０．３質量％を超える場合は洗浄力および低温安定性が不十分である。この観点からは、成分（ａ）の含有量は、０．２５質量％以下が好ましく、０．２０質量％以下がより好ましく、さらに０．１０質量％以下がさらに好ましい。
【００３５】
成分（ｂ）の含有量が５質量％未満では、洗浄力が不十分である。この観点からは、成分（ｂ）の含有量は、７質量％以上が好ましく、８質量％以上がより好ましい。また、成分（ｂ）の含有量が３０質量％を超える場合は洗浄後のつっぱり感の低減および低温安定性が不十分である。この観点からは、成分（ｂ）の含有量は、２５質量％以下が好ましく、２０質量％以下がより好ましい。
【００３６】
成分（ａ）の含有量の成分（ｂ）の含有量に対する質量比［ａ／ｂ］は、５×１０−５〜５×１０−２であり、好ましくは１×１０−４〜１×１０−２で、より好ましくは３×１０−４〜３×１０−３である。
［ａ／ｂ］が小さすぎるとつっぱり感の低減が不十分となり、大きすぎると洗浄力および低温安定性が不十分となる。
【００３７】
以上述べたように、本発明においては、成分（ａ）、成分（ｂ）および成分（ｃ）を、上記の通り組み合わせて用いることにより、高い洗浄力および低温安定性を有しながら、洗浄後のつっぱり感を低減した液体洗浄剤組成物が得られる。
【００３８】
さらに、本発明の液体洗浄剤組成物には、本発明の効果を損なわない範囲でその他の任意成分を添加することができる。例えば、植物油脂、動物油脂などの油脂類；  スクワラン、流動パラフィン、水添ポリイソブテンなどの炭化水素油；  セチルアルコール、ステアリルアルコール、セトステアリルアルコールなどの高級アルコール類；  環状シリコーン、ジメチルポリシロキサン、アミノ変性ポリシロキサンなどのシリコーン類；  パルミチン酸２−エチルヘキシル、トリ（カプリル／カプリン酸）グリセリル、ミリスチン酸イソプロピルなどのエステル油；  塩化ステアリルトリメチルアンモニウム、塩化ベンザルコニウム、ココイルアルギニンエチルＰＣＡなどのカチオン性界面活性剤；  ポリオキシエチレンラウリルエーテル硫酸塩、α−オレフィンスルホン酸塩などの成分（ｂ）以外のアニオン性界面活性剤；  アルキルジメチルアミノ酢酸ベタイン、アルキルカルボキシメチルヒドロキシエチルイミダゾリニウムベタイン、アルキルアミドプロピルベタイン、アルキルヒドロキシスルホベタイン、アルキルイミノジ酢酸塩などの両性界面活性剤；  ポリオキシエチレンアルキルエーテル、ポリグリセリン脂肪酸エステル、ポリオキシエチレングリセリン脂肪酸エステルなどのノニオン性界面活性剤；  エタノールなどの溶剤；  クエン酸塩、コハク酸塩、リンゴ酸塩、酒石酸塩などのｐＨ調整剤；  トコフェロールなどの抗酸化剤；  多糖類、アミノ酸、ペプチド、防腐剤、香料、着色剤などを適宜配合することができる。
【００３９】
本発明の液体洗浄剤組成物のｐＨ値は、特に限定されるものではないが、２５℃、１０質量％水溶液で好ましくは６．５〜１１．０、より好ましくは７．０〜１０．０、さらに好ましくは７．０〜９．０である。ｐＨが６．５より低いと低温安定性が不十分であり、ｐＨが１１．０より高いと肌への刺激性が懸念される。
本発明の液体洗浄剤組成物は、ボディーシャンプーのほか、洗顔料、ハンドソープ、毛髪用シャンプー等として利用することができる。
【実施例】
【００４０】
以下、実施例および比較例に基づき本発明をさらに具体的に説明するが、本発明は以下の実施例に何ら限定されるものではない。なお、本実施例で用いた略号は以下のとおりである。
ＭＰＣ：  ２−メタクリロイルオキシエチルホスホリルコリン（日油（株）製）
ＤＭＡＰＡＡ：  ジメチルアミノプロピルアクリルアミド（東京化成工業（株）製）
ＱＡＭＡ：  ２−ヒドロキシ−３−メタクリロイルオキシプロピルトリメチルアンモニウムクロライド（日油（株）製）
ＳＭＡ：  ステアリルメタクリレート（日油（株）製）
ＬＭＡ：  ラウリルメタクリレート（日油（株）製）
ＰＢ−ＮＤ：ｔ−ブチルペルオキシネオデカノエート（商品名：パーブチル−ＮＤ、日油（株）製）
【００４１】
［合成例１〜３］
（合成例１：ポリマー１−１の合成）
ＭＰＣ４０．４１ｇ、ＳＭＡ４．１２ｇ、ＤＭＡＰＡＡ０．４８ｇをエタノール５５．００ｇに溶解し、４つ口フラスコに入れて３０分間窒素を吹き込んだ。その後、５０℃でＰＢ−ＮＤ０．１０ｇを加えて８時間重合反応させた。重合液を３Ｌのジエチルエーテル中にかき混ぜながら滴下し、析出した沈殿をろ過し、４８時間室温で真空乾燥を行って、白色粉末（以下、ポリマー１−１）４１．３０ｇを得た。ＧＰＣでポリエチレングリコールを標準として、ポリマー１−１の平均分子量を測定したところ、重量平均分子量８２０，０００であった。
【００４２】
（合成例２〜３：ポリマー１−２および１−３の合成）
表１に示す各単量体を用いた以外は、合成例１と同じ方法にて重合および精製を行い、ポリマー１−２および１−３を得た。ポリマー１−２および１−３の重量平均分子量は表１に示すとおりである。
【００４３】
（比較合成例１：ポリマー２−１の合成）
ＭＰＣ２９．４３ｇ、ＤＭＡＰＡＡ１５．５７ｇを、エタノール５５．００ｇに溶解し、４つ口フラスコに入れて３０分間窒素を吹き込んだ。その後、５０℃でＰＢ−ＮＤ０．１０ｇを加えて８時間重合反応させた。重合液を３Ｌのジエチルエーテル中にかき混ぜながら滴下し、析出した沈殿をろ過し、４８時間室温で真空乾燥を行って、白色粉末（以下、ポリマー２−１）４０．７０ｇを得た。ポリマー２−１の重量平均分子量は表１に示すとおりである。
【００４４】
（比較合成例２〜３：ポリマー２−２および２−３の合成）
表１に示す各単量体を用いた以外は、比較合成例１と同じ方法にて重合および精製を行い、ポリマー２−２および２−３を得た。ポリマー２−２および２−３の重量平均分子量は表１に示すとおりである。
【００４５】
【表１】
2017002242.tif 000008
【００４６】
表中に略号で示した、合成に用いた原材料の詳細は次の通りである。
ＭＰＣ：  ２−メタクリロイルオキシエチルホスホリルコリン（日油（株）製）
ＤＭＡＰＡＡ：  ジメチルアミノプロピルアクリルアミド（東京化成工業（株）製）
ＱＡＭＡ：  ２−ヒドロキシ−３−メタクリロイルオキシプロピルトリメチルアンモニウムクロライド（日油（株）製）
ＬＭＡ：  ラウリルメタクリレート（日油（株）製）
ＳＭＡ：  ステアリルメタクリレート（日油（株）製）
ＰＢ−ＮＤ：  ｔ-ブチルペルオキシネオデカノエート（商品名：パーブチル−ＮＤ、日油（株）製）
【００４７】
＜液体洗浄剤組成物の調製＞
表２および表３に示した実施例１〜８および比較例１〜１１の各原料をビーカーに全て投入し、プロペラを使って１時間攪拌した。
＜液体洗浄剤組成物の評価＞
専門パネラー２０名による使用感テストを行った。１）洗浄力、２）洗浄後のつっぱり感について、パネラー各人が下記評価にて４段階評価し、評点をつけた。また、３）低温安定性は、一定条件で保管後の液体洗浄剤組成物の外観を観察することにより評価した。
【００４８】
１）洗浄力
液体洗浄剤組成物３ｇを使用し、前腕および手指を洗浄し、油脂汚れの落ち方を以下の基準にて評価した。２０名のパネラーの評価の平均点が、３．０以上を合格とした。
４：皮脂汚れの落ちが良い
３：皮脂汚れの落ちがやや良い
２：皮脂汚れの落ちがやや悪い
１：皮脂汚れの落ちが悪い
【００４９】
２）洗浄後のつっぱり感
液体洗浄剤組成物３ｇでメイク除去後の顔を洗浄し、軽くタオルで水分を取り除いたあとのつっぱり感について、以下の基準にて評価した。２０名のパネラーの評価の平均点が、３．０以上を合格とした。
４：洗浄後につっぱり感が全くない
３：洗浄後につっぱり感があまりない
２：洗浄後につっぱり感がややある
１：洗浄後につっぱり感がある
【００５０】
３）低温安定性
液体洗浄剤組成物５０ｇを１００ｍＬ容のスクリュー管に入れ、５℃の恒温槽で１ヶ月間静置した際の外観状態を目視にて観察し、以下の基準で判断した。
○：析出や白濁が生じず、透明である
×：結晶が析出し、蛍光色を帯びる、あるいは白濁している
結果を洗浄剤組成物の配合とともに、表２および表３に示す。
【００５１】
【表２】
2017002242.tif 000009
【００５２】
【表３】
2017002242.tif 000010
【００５３】
各表に示したとおり、本発明に係る実施例１〜８の洗浄剤組成物は、いずれも十分な洗浄力を持ち、洗浄後のつっぱり感が低減されており、低温安定性が良好であった。これに対し、比較例１〜１１では十分な効果は得られなかった。
【００５４】
比較例１は、成分（ａ）を配合していないため、洗浄後のつっぱり感の低減が不十分であった。
比較例２は、成分（ａ）を０．３質量％より多く用いたため、洗浄力および低温安定性が不十分であった。
【００５５】
比較例３は、成分（ｂ）を５質量％より少なく用いたため、洗浄力が不十分であった。
比較例４は、成分（ｂ）を３０質量％より多く用いたため、洗浄後のつっぱり感の低減および低温安定性が不十分であった。
比較例５は、成分（ｂ）に代えて、アルキル基の炭素数が１８より大きいベヘン酸塩を用いたため、低温安定性が不十分であった。
【００５６】
比較例６は、成分（ａ）の含有量の成分（ｂ）の含有量に対する質量比［ａ／ｂ］が５×１０−５より小さいため、洗浄後のつっぱり感の低減が不十分であった。
比較例７は、成分（ａ）の含有量の成分（ｂ）の含有量に対する質量比［ａ／ｂ］が５×１０−２より大きいため、洗浄力が不十分であった。
【００５７】
比較例８は、成分（ａ）に代えて、式（３ａ）を含まない重合体を用いたため、洗浄後のつっぱり感の低減が不十分であった。
比較例９は、成分（ａ）に代えて、式（２ａ）および式（３ａ）であらわされる構成単位のモル比ｎ２およびｎ３が、式（１ａ）で表される構成単位のモル比ｎ１に対して、ｎ１＝１００としたとき１より小さい重合体を用いたため、洗浄後のつっぱり感の低減が不十分であった。
比較例１０は、成分（ａ）に代えて、式（２ａ）および式（３ａ）であらわされる構成単位を含まない重合体を用いたため、洗浄後のつっぱり感の低減が不十分であった。
比較例１１は、成分（ｂ）に代えて、ラウロイルメチル-β-アラニンナトリウムを用いたため、洗浄力が不十分であった。
以下、液体洗浄剤組成物を、実施例と同様に評価を行った。
【００５８】
（実施例９）                                      配合率（質量％）
（ａ）ポリマー１−１                          ０．０３
（ｂ）ラウリン酸カリウム                    １５．００
（ｃ）イオン交換水                          ８０．１５
（その他の成分）
ラウラミノジ酢酸ナトリウム                    １．００
ラウリルヒドロキシスルホベタイン              １．００
クエン酸ナトリウム                            ０．９５
ポリエチレングリコール１０００                ０．５０
ポリエチレングリコール１５４０                ０．５０
エタノール                                    ０．２０
メチルパラベン                                ０．２０
香料                                          ０．１０
フェノキシエタノール                          ０．１０
グリチルリチン酸２カリウム                    ０．１０
クエン酸                                      ０．０５
ＥＤＴＡ−２ナトリウム                        ０．０５
エチドロン酸４ナトリウム                      ０．０５
トコフェロール                                ０．０２
合計質量                                  １００．００
【００５９】
（実施例１０）                                    配合率（質量％）
（ａ）ポリマー１−１                          ０．０３
（ｂ）ラウリン酸カリウム                    １５．００
（ｃ）イオン交換水                          ８０．５０
（その他の成分）
２−アルキル−Ｎ−カルボキシメチル−Ｎ−
ヒドロキシエチルイミダゾリニウムベタイン      １．００
ヤシ油脂肪酸アミドプロピルベタイン            １．００
ヤシ油脂肪酸ジエタノールアミド                １．００
クエン酸ナトリウム                            ０．９５
エタノール                                    ０．２０
メチルパラベン                                ０．２０
ＥＤＴＡ−４ナトリウム                        ０．０５
エチドロン酸４ナトリウム                      ０．０５
酢酸トコフェロール                            ０．０２
合計質量                                  １００．００
【００６０】
実施例９、１０の液体洗浄剤組成物は、高い洗浄力および低温安定性を有しながら、洗浄後のつっぱり感を低減した。
【産業上の利用可能性】
【００６１】
高い洗浄力および低温安定性を有し、洗浄後のつっぱり感を低減した液体洗浄剤組成物を提供することができる。